(57)【要約】【課題】メジャー等を用いずに適正位置に設置可能な身長測定装置に関する技術を提供する。【解決手段】対象物を模って形成される所定の形状を有し、略鉛直面に設置されて身長を測定する身長測定装置であって、前記略鉛直面上であって床面から間隔をあけた適正位置に設置されるとともに前記所定の形状の一部を形成する本体部と、前記本体部に設けられ、身長を測定するための目盛りを有する目盛り部と、前記本体部の所定の位置に取り付けられることで前記所定の形状のその他の部分のうちの少なくとも一部を形成するとともに前記適正位置を特定し、かつ前記本体部が略鉛直面に設置された後において取り外し可能である位置決め部と、を備える。【選択図】図１
2008188328.tif 000002
【特許請求の範囲】
【請求項１】
対象物を模って形成される所定の形状を有し、略鉛直面に設置されて身長を測定する身長測定装置であって、
前記略鉛直面上であって床面から間隔をあけた適正位置に設置されるとともに前記所定の形状の一部を形成する本体部と、
前記本体部に設けられ、身長を測定するための目盛りを有する目盛り部と、
前記本体部の所定の位置に取り付けられることで前記所定の形状のその他の部分のうちの少なくとも一部を形成するとともに前記適正位置を特定し、かつ前記本体部が略鉛直面に設置された後において取り外し可能である位置決め部と、
を備える身長測定装置。
【請求項２】
対象物を模って形成される所定の形状を有し、略鉛直面に設置されて身長を測定する身長測定装置であって、
前記略鉛直面上であって床面から間隔をあけた適正位置に設置される本体部と、
前記本体部に設けられ、身長を測定するための目盛りを有する目盛り部と、
前記本体部に取り付け可能な前記適正位置を特定する位置決め部と、を備え、
前記本体部の所定の位置に取り付けられた際、本体部の形状と該位置決め部の形状とによって、前記所定の形状が形成され、
前記位置決め部は、前記本体部の所定の位置に取り付けられることで前記適正位置を特定し、かつ前記本体部が略鉛直面に設置された後において取り外し可能である、身長測定装置。
【請求項３】
前記適正位置とは、前記目盛りの値と、前記床面からの実際の鉛直距離と、が一致する位置である、請求項１又は請求項２に記載の身長測定装置。
【請求項４】
前記目盛り部の目盛りは、身長を測定するために必要な値から始まり、
前記位置決め部は、前記目盛り部の始まりの値に応じた長さを有し、一端が前記本体部の所定の位置に取り付けられ、
前記本体部の所定の位置は、前記始まりの値が付された前記目盛り部であり、
一端が前記本体部の所定の位置に取り付けられた前記位置決め部が直線状態を形成するとともに他端が前記床面と接触した状態において、前記適正位置が特定される、請求項１から請求項３のいずれかに記載の身長測定装置。
【請求項５】
前記所定の形状は、動物又は乗り物を模って形成される、請求項１から請求項４のいずれかに記載の身長測定装置。
【発明の詳細な説明】
【技術分野】
【０００１】
本発明は、身長測定装置に関する。
【背景技術】
【０００２】
壁や柱などの鉛直面に設置することで、幼児や子供の身長を測定可能な簡易式の身長計が知られている。例えば、特許文献１に記載の身長計は、デザイン面において、幼児や子供に親しまれ易いよう、ウサギをモチーフとして形成されている。また、機能面においては、収納や運搬時の利便性を考慮して、折り曲げ可能な構成となっている。
【特許文献１】意匠登録第１２５２１２２号公報
【特許文献２】意匠登録第１２５１９６６号公報
【発明の開示】
【発明が解決しようとする課題】
【０００３】
壁や柱などの鉛直面に設置する身長計によれば、幼児や子供の身長を自宅などにおいて簡易に測定することができる。また、このような身長計を動物等をモチーフとして形成することで、幼児や子供に親しまれ易いデザインとすることができる。ここで、このような従来の身長計は、機能性の面から例えば身長を測定する際の目盛りがゼロからではなく、６０ｃｍや７０ｃｍといった数字から始まっているのが一般的である。すなわち、０ｃｍから６０ｃｍといった、身長計としては実質的に使用しない値に相当する部分を排除して、軽量化や保管時の省スペース化など機能性を重視するためである。
【０００４】
しかしながら、このような従来の身長計を壁や柱などの鉛直面に設置する場合、身長計の高さ位置をメジャー等を用いて測る必要があり、非常に煩わしかった。
【０００５】
本発明は、上記問題に鑑みてなされたものであり、メジャー等を用いずに適正位置に設置可能な身長測定装置に関する技術を提供することを課題とする。
【課題を解決するための手段】
【０００６】
本発明では、上記の課題を解決するため、以下の手段を採用した。すなわち、本発明は、対象物を模って形成される所定の形状を有し、略鉛直面に設置されて身長を測定する身長測定装置であって、前記略鉛直面上であって床面から間隔をあけた適正位置に設置されるとともに前記所定の形状の一部を形成する本体部と、前記本体部に設けられ、身長を測定するための目盛りを有する目盛り部と、前記本体部の所定の位置に取り付けられることで前記所定の形状のその他の部分のうちの少なくとも一部を形成するとともに前記適正位置を特定し、かつ前記本体部が略鉛直面に設置された後において取り外し可能である位置決め部と、を備える。
【０００７】
本発明は、本体部の所定の位置に位置決め部を取り付けることで、身長測定装置を設置する適正位置を特定できることを特徴とする。ここで、本発明に係る身長測定装置は、壁や柱といった略鉛直面に設置されて使用される。身長の測定は、被測定者が直立した状態で、床面から被測定者の頂部までの鉛直距離を測定することで行われる。従って、床面などの水平面に自立させて設置する身長測定装置とは異なり、本発明のように鉛直面に設置する身長測定装置では、身長測定装置が設置される適正位置を特定し、適正位置に身長測定装置を設置しなければ正確に身長を測定することができない。この点において、従来の壁掛け式の身長測定装置では、この適正位置の特定をメジャー等を用いて行っていた。しかし、身長測定装置を設置する際にその都度メジャーを用いて設置位置を特定するのは煩わしかった。これに対し、本発明は、位置決め部を備えることから、身長測定装置を設置
する適正位置を特定することができる。従って、従来のように別途メジャー等を用いて測ることなく、身長測定装置を適正位置に設置することができる。
【０００８】
また、本発明は、位置決め部の形状が本体部の形状とともに対象物の形状を形成することを特徴とする。すなわち、本発明における位置決め部は、本体部の所定の位置に取り付けられ際に、本体部の形状とともに対象物を模って形成される所定の形状を有する身長測定装置の形状の一部を担っている。これにより、本発明に係る身長測定装置は、優れたデザイン性も有している。
【０００９】
ここで、本発明に係る身長測定装置は、対象物を模って形成される所定の形状を有する。対象物には、ユーザに印象を与える様々なものが含まれる。従って、この対象物を模って形成される所定の形状とは、例えば、動物、植物、乗り物、キャラクター、建物等を模って形成される形状である。なお、上述した対象部の形状には、例えば親亀と小亀といったように、実際には複数の対象物から構成されるものも含まれる。更に、本発明における対象物の形状には、例えばロケットとロケットから排出される噴煙といったように対象物そのものだけでなく、これに関連するものを含めてもよい。
【００１０】
本体部は、適正位置に設置されるとともに前記所定の形状の一部を形成する。この適正位置は、略鉛直面上であって床面から間隔をあけた位置に設けられる。すなわち、本発明においては、本体部が床面から間隔をあけた上で鉛直面上に設置される。本体部が床面に設置されていると、ユーザが足を引掛けて転倒するといった虞がある。しかし、本発明によれば、本体部が床面から離れた位置に設置されるので、ユーザが転倒するといったことを防止することができる。また、所定の形状の一部を形成するとは、上述した動物、植物、乗り物等の形状の一部を形成することを意味する。なお、本体部は、動物、植物、乗り物といった所定の形状のうち主要な部分によって形成することが好ましい。すなわち、例えば動物でいえば頭部や胴部などで形成すればよい。
【００１１】
上述した本体部には、身長を測定する際の目盛りを有する目盛り部が設けられている。目盛り部が有する目盛りの間隔は、特に限定されるものではなく、１ミリメートルごと、１センチメートルごとのいずれであってもよい。また、目盛りには、他の単位系を用いてもよい。また、目盛りに数字を付すことで、より測定を容易にすることができる。そして、このような目盛り部が設けられた本体部が適正位置に設置されることで、身長の測定が可能となる。
【００１２】
ここで、本体部は、少なくとも目盛り部の長手方向における長さよりも長い部分を有していることが好ましい。また、本発明に係る身長測定装置は、壁や柱などの鉛直面に設置されて使用されるものであり、この鉛直面への設置は本体部を介して成される。従って、少なくとも本体部の裏面、換言すると壁などの鉛直面と接する側の面は、平面状であることが好ましい。そして、本体部は、位置決め部とともに上述した所定の対象物を模るように形成することができる。
【００１３】
位置決め部は、本体部が設置されるべき適正位置を特定する。適正位置の特定は、ある基準点を特定し、適正位置までの距離を特定することで実現することができる。そこで、本発明に係る位置決め部は、身長を測定する際の基準となる水平面から本体部の設置位置までの距離を特定できるものであればよく、位置決め部自体の形態等は特に限定されない。
【００１４】
また、位置決め部は、身長測定装置が設置される適正位置を特定する他、本体部とともに対象物を模って形成される所定の形状の一部を形成する。より具体的には、本発明に係る身長測定装置は、前記所定の形状のその他の部分のうちの少なくとも一部を形成する。
これは、本発明に係る身長測定装置の所定の形状が、少なくとも本体部が備える形状と、位置決め部が備える形状とによって形成されることを意味する。そして、対象物の一部とは、上記のような対象物を構成する部位、部品、また、複数の対象物で構成される場合にはそのうちの一つの対象物そのもの、更に、対象物に関連するもの等を意味する。このように、ある対象物をモチーフとして、身長測定装置を形成することで、デザイン性を高めることができる。
【００１５】
また、位置決め部は、前記本体部が略鉛直面に設置された後において取り外し可能である。従って、例えば収納時や運搬時には取り外すことで、身長測定装置自体のコンパクト化を図ることができる。
【００１６】
以上説明した本発明に係る身長測定装置によれば、位置決め部を備えることで、身長測定装置をメジャー等を用いることなく適正位置に設置することができる。また、本発明に係る身長測定装置は、位置決め部も含めて一つの対象物を模って形成されており、デザイン的にも優れている。
【００１７】
なお、本発明は、対象物を模って形成される所定の形状を有し、略鉛直面に設置されて身長を測定する身長測定装置であって、前記略鉛直面上であって床面から間隔をあけた適正位置に設置される本体部と、前記本体部に設けられ、身長を測定するための目盛りを有する目盛り部と、前記本体部に取り付け可能な前記適正位置を特定する位置決め部と、を備え、前記本体部の所定の位置に取り付けられた際、本体部の形状と該位置決め部の形状とによって、前記所定の形状が形成され、前記位置決め部は、前記本体部の所定の位置に取り付けられることで前記適正位置を特定し、かつ前記本体部が略鉛直面に設置された後において取り外し可能としてもよい。
【００１８】
本発明も基本的には、上述した発明と同様の構成を有している。すなわち、位置決め部を備えることで、本発明においても、身長測定装置をメジャー等を用いることなく適正位置に設置することができる。なお、本発明では、前記本体部の所定の位置に取り付けられた際、本体部の形状と該位置決め部の形状とによって、前記所定の形状が形成される。これにより、本発明は、デザイン的にも優れている。
【００１９】
ここで、本発明において、前記適正位置とは、前記目盛りの値と、床面からの実際の鉛直距離と、が一致する位置とすることができる。これにより、鉛直面に設置された本発明の身長測定装置によって正確に身長を測定することができる。
【００２０】
また、本発明において、前記目盛り部の目盛りは、身長を測定するために必要な値から始まり、前記位置決め部は、前記目盛り部の始まりの値に応じた長さを有し、一端が前記本体部の所定の位置に取り付けられ、前記本体部の所定の位置は、前記始まりの値が付された前記目盛り部であり、一端が前記本体部の所定の位置に取り付けられた前記位置決め部が直線状態を形成するとともに他端が床面と接触した状態において、前記適正位置が特定されるようにすることができる。
【００２１】
目盛り部の目盛りが身長を測定するために必要な値から始まるとは、一般的に直立して身長測定が可能な被測定者に対して必要のない値が予め省略されていることを意味する。すなわち、本発明で身長を測定可能な被測定者は、特に限定されるものではなく、幼児、子供、又は大人のうちいずれであってもよい。但し、例えば一人歩きができないような乳幼児の身長は測定することができない。従って、本発明では、身長測定装置として必要のない目盛りの値を予め省略することで、身長測定装置のコンパクト化が実現されている。
【００２２】
目盛り部の始まりの値に応じた長さとは、例えば目盛りの値が７０ｃｍから始まってい
る場合には、目盛り部の長さがおおよそ７０ｃｍであることを意味する。このような位置決め部の一端を目盛り部に取り付け、他端が床面に接触するように本体部の高さ方向における位置を調整することで、本発明に係る身長測定装置を適正位置へ設置することができる。なお、位置決め部は、本体部を鉛直面に設置する際に物理的な長さを有する状態を維持できるものであればよい。従って、棒状の部材でもよく、また、折り畳み可能であってもよい。また、例えば紐状の部材であってもよい。紐状の部材によって構成する場合には、例えば先端部に重りを付すことで設置の際、直線状態を形成させることができる。なお、上記位置決め部は、本体部が鉛直面に設置された後において取り外すことができる。従って、位置決め部によってユーザが転倒するといった事態を防止することができる。
【００２３】
また、本発明において、前記本体部には、展示物を視認可能に収容する収容部を更に設けてもよい。展示物には、写真、絵画等が例示される。なお、展示物はこれらに限定されるわけではない。写真などのようにシート状のものでもよく、また、例えばユーザが好む美術作品やユーザが作成した創作物といったように立体的なものであってもよい。視認可能とは、収容された展示物が収容部の外部から視認できることを意味する。例えば、収容部の表面を透明の素材で形成すればよい。
【００２４】
また、本発明において、前記収容部は、前記目盛り部に沿って所定の間隔をあけて複数設けるようにしてもよい。上述したように収容部には、展示物、例えば写真や絵画等を収容することができる。そこで、本発明のように、目盛りに沿って複数の収容部を設けた場合には、身長を測定した時点における被測定者の写真や被測定者に関連する絵画等を収容部に時系列的に収容することができる。これにより、身長測定の数値結果と思い出の展示物を関連付けて身長測定装置に記録することが可能となる。
【００２５】
また、本発明において、本体部の裏面には、本体部を鉛直面に設置するための引掛け部を設けることができる。引掛け部を予め設けることで、本体部を容易に鉛直面に設置することができる。引掛け部を設ける場合、引掛け部は、該本体部の長手方向に沿った重心軸上であって、先端（上部）寄りに設けることが好ましい。これにより、本体部は、鉛直面に引掛け部を支点として吊り下げられることとなり、自重によって鉛直姿勢を形成することができる。本体部が鉛直姿勢を形成することで、本体部に設けられた目盛り部も鉛直姿勢を形成する。すなわち、身長測定装置の向きを本体部を設置するだけで自動的に調整することができる。
【発明の効果】
【００２６】
本発明によれば、メジャー等を用いずに適正位置に設置可能な身長測定装置に関する技術を提供することが可能となる。
【発明を実施するための最良の形態】
【００２７】
次に、本発明に係る身長測定装置の実施形態について図面に基づいて説明する。
【００２８】
＜構成＞
図１は、本実施形態に係る身長測定装置１を示す正面図である。図１に示すように、身長測定装置１は、動物のキリンをモチーフに形成された本体部１０と、本体部１０の長手方向に沿って設けられた目盛り部２０と、キリンの尻尾をモチーフに形成された位置決め部４０と、写真などの展示物を収容する収容部３０と、を備えている。以下、各構成について更に詳細に説明する。
【００２９】
本体部１０は、本発明における対象物の形状の一部に相当するキリンの頭部から胴体部をモチーフとして形成されている。本体部１０は、このようなキリンの形状をモチーフとして、全体として縦長状に形成されている。また、愛らしいデザインとすることで、本体
部１０は、幼児や子供に親しまれ易いデザインとなっている。また、形状だけでなく、模様、色彩といった意匠的な要素も含めてデザインすることで、本体部１０のデザイン性をより向上させることができる。なお、本実施形態に係る本体部１０は、木製の板部材によって形成さている。但し、これに限定されるものではない。本体部１０は、プラスチック等他の素材で形成してもよい。
【００３０】
目盛り部２０は、本体部１０の長手方向に沿って設けられている。ここで、図２は、目盛り部２０の下部を示す拡大正面図である。同図に示すように、目盛り部２０には、１ｃｍ単位で刻まれ、１０ｃｍ単位ごとに数値が付された目盛り２１が設けられている。本実施形態の目盛り２１は、目盛り２１の始まりの値が７０ｃｍから付されている。このように身長測定に不要な目盛りを予め排除することで、目盛り部２０の長さによって長手方向の長さが決定される本体部１０の長さを短くすることができる。その結果、身長測定装置１のコンパクト化を図ることができる。なお、目盛り２１の始まりの値や目盛り２１の間隔は、あくまで例示にすぎない。従って、目的に応じて適宜設定すればよい。また、目盛り２１の終わりの値も対象となるユーザ層等に応じて適宜設計すればよい。
【００３１】
また、目盛り部２０には、目盛り２１の長手方向に沿って、マーカ取り付け部２２が設けられている。マーカ取り付け部２２には、身長測定の測定結果位置にマーカ５０を取り付けることができる。本実施形態においては、マーカ５０の接触面と、マーカ取り付け部２２の表面に面ファスナーが設けられている。これにより、マーカ５０をマーカ取り付け部２２に対して、自由に着脱することができる。なお、例えば、マーカ５０を磁石で形成し、マーカ取り付け部２２を磁石が接続可能な金属で形成してもよい。
【００３２】
収容部３０は、目盛り部２０に沿って所定の間隔で六つ設けられている。この収容部３０には、写真や絵画等といった展示物を収容することができる。本実施形態では、本体部１０に収容部３０を形成するための略四角形の穴部が設けられ、この穴部を覆うように本体部１０の表面側に透明なプラスチック板が設けられている。このような展示物を視認可能な部材によって覆うことで、展示物を保護することができる。そして、本体部１０の裏側においては、収容部３０に収容された展示物を押さえるための押さえ部３１が設けられている。ここで、図３は、本体部１０を示す裏面図である。同図に示すように、収容部３０の裏面側には、展示物を押さえる押さえ部３１、この押さえ部３１を固定する爪部３２が各辺ごとにそれぞれ設けられている。なお、収容部３０は、展示物を収容できる構造であればよく本実施形態に係る構成に限定されるものではない。例えば、収容部３０は、矩形状の透明な樹脂製のシートを本体部の表面に配置し、上辺以外の辺、すなわち、左右両辺、下辺を接着してポケットを形成することで設けてもよい。
【００３３】
なお、図３に示すように、本体部１０には、本体部１０を長手方向において折り畳むための折り畳み部３３が設けられている。折り畳み部３３には、本体部１０の幅方向に蝶番３４が二つ設けられ、これにより、本体部１０が長手方向において折り畳み可能となる。その結果、本体部１０、換言すると身長測定装置１のコンパクト化を図ることができるので、本実施形態に係る身長測定装置１によれば、収納時や運搬における利便性をより向上させることができる。
【００３４】
また、本体部１０の裏面の上部、すなわちキリンの形状の頭部付近には、本体部１０を壁などに設置するための引掛け部３５が設けられている。この引掛け部３５は、本体部１０が壁に設置された際に自重によって鉛直になるよう、本体部１０の長手方向沿った重心軸上に設けられている。本実施形態に係る引掛け部３５には、例えば壁などの垂直面に釘、ねじ、フック等を設け、これに引掛けるための孔部３６が設けられている。この孔部３６は、上側の幅が狭く形成されることで、壁から脱落しにくい構成となっている。なお、本体部１０の表側から引掛け部３５の位置が確認できるようにすることが好ましい。例え
ば、キリンの耳と角との間に形成される谷部を通る水平線の線上かつ重心軸上に引掛け部３５を形成してもよい。また、本体部１０の表側に引掛け部３５の位置を示す、模様や色彩を施してもよい。これにより、本体部１０を設置する際、壁に設けるフック等のマーキングを容易に行うことができる。
【００３５】
図１に戻って説明する。図１に示すように、本体部１０の下端部には、キリンの尻尾をモチーフとして形成された位置決め部４０が取り付けられている。すなわち、位置決め部４０は、キリンという対象物の形状の一部を形成している。位置決め部４０は、紐状の部材４１によって形成され、その長さが直線状態において略７０ｃｍで形成されている。すなわち、位置決め部４０の長さは、目盛り２１の始まりの値と対応する長さに形成されている。従って、図１に示すように、位置決め部４０の上端を本体部１０の目盛り２１の始まりの値の付近に取り付け、下端を床面と接触するようにすることで、本体部１０を適正位置に取り付けることが可能となる。なお、本実施形態の本体部１０の下端に沿って位置決め部４０を取り付け可能とするための面ファスナーを設けてもよい。これにより、位置決め部４０の取り付け位置が、目盛り２１の始まりの値の水平方向における延長線上にまで拡張されるので、より利便性を高めることができる。
【００３６】
ここで、本実施形態では、位置決め部４０は、紐状部材４１と、紐状部材４１の上端に接続された接続部４２と、紐状部材４１の下端に接続された重り部４３によって形成されている。接続部４２は、裏面に面ファスナーが設けられ、目盛り部３０のマーカ取り付け部２２に脱着可能となっている。また、接続部４２は、略円形状で形成されており、直径が本体部１０の下端から目盛り２１の始まりの値までの距離と一致するように形成されている。これにより、位置決め部４０を本体部１０の所定の位置に正確に取り付けることが可能となる。なお、本実施形態においては、位置決め部４０の最上端（接続部４２の上端）から最下端（重り部４３の下端）の長さが床面から本体部１０の目盛りの開始の値である７０ｃｍに設計されている。
【００３７】
また、重り部４３は、本体部１０の設置時において、位置決め部４０の紐状部材４１が直線状態を形成するのに十分な重さを有する木片によって形成されている。なお、位置決め部４０は、本体部１０が壁などの垂直面に設置された後は、取り外すことができる。位置決め部４０を本体部に取り付けたままにしておくと、子供などが誤って転倒することも想定される。しかし、本実施形態に係る位置決め部４０は、取り外すことができるので、このような事態を防止することができる。また、本実施形態に係る位置決め部４０は、紐状部材４１によって形成されており、折り畳み可能であることから、収納や運搬時の利便性が向上されている。なお、接続部４２は本体部の設置後においてマーカとして利用してもよい。また、重り部４３にも面ファスナーを設けてもよく、これにより、重り部４３もマーカとして利用することが可能となる。
【００３８】
＜使用方法＞
次に、本実施形態に係る身長測定装置１の使用方法について説明する。
【００３９】
本実施形態に係る身長測定装置１は、収納時や運搬時は、本体部１０に設けられた折り畳み部３３で折り畳むことができる。従って、本体部１０を折り畳み、位置決め部４０は取り外してダンボール等で梱包することができる。そして、使用する際は、この折り畳まれた本体部１０を伸ばし、位置決め部４０の接続部４２を本体部１０に設けられた目盛り２０の始まりの値である７０ｃｍ部分に面ファスナーが設けられた面同士を接触させることで取り付ける。
【００４０】
次に、位置決め部４０の紐状部材４１が直線状態を形成し、かつこの紐状部材４１の下部に設けられている重り部４３の下端が床面と接触するように、位置決め部４０が取り付
けられた本体部１０を設置する壁に沿って移動させる。そして、位置決めができたら引掛け部３５に対応する壁の位置にマーキングを行う。そして、マーキング位置に身長測定装置１を支持するのに十分な強度を有する、釘、ねじ、又はフック等を設置する。釘などの設置が完了したら、本体部１０を引掛け部３５を介して壁に設置する。なお、位置決め部４０は、必要に応じて取り外せばよい。
【００４１】
以上説明した身長測定装置１によれば、位置決め部４０を備えることで、身長測定装置１をメジャー等を用いることなく壁の適正位置に設置することができる。また、本発明に係る身長測定装置１は、本体部１０がキリンの頭部から胴部、位置決め部４０がキリンの尻尾をモチーフとして形成されている。すなわち、身長測定装置１は、キリンという一つの対象物の形状を模って形成されているので、デザイン的にも優れている。
【００４２】
＜その他の実施形態＞
ここで、図４にその他の実施形態に係る身長測定装置１ａを示す。身長測定装置１ａは、基本的には上述した身長測定装置１と同様の構成を有している。すなわち、身長測定装置１ａは、本体部１０ａと、目盛り部２０ａと、収容部３０ａと、位置決め部４０ａとを備えている。なお、上述した身長測定装置１との相違点を中心に説明すると、身長測定装置１ａは、乗り物であるロケットの形状をモチーフとして形成されている。本体部１０ａは、ロケット本体をモチーフとして成形され、位置決め部４０ａは、接続部４２ａ、紐状部材４１ａ、重り部４３ａによって形成され、ロケットから排出される噴煙をモチーフとして形成されている。更に、収容部３０ａは、ロケットの窓をイメージして形成されている。このように、本実施形態に係る身長測定装置１ａは、それぞれの構成がロケット又はこれに関連する形状をモチーフとして形成され優れたデザイン構成を有している。また、身長測定は、上述した身長測定装置１と同様の手順により、位置決め部４０ａによって本体部１０ａの適正位置を特定することで行うことができる。なお、上述した身長測定装置１は、本体部１０が木製部材によって形成されていたが、本実施形態に係る身長測定装置１ａでは、本体部１０ａ及び収容部３０ａがシート状の樹脂製部材によって形成されている。従って、収容時や運搬時は、折り畳むことが可能であり、上述した身長測定装置１よりも更にコンパクト化を図ることが可能である。また、身長測定装置１ａは、シート状の樹脂製部材といった木製部材に比べて軽い素材によって形成されている。従って、壁への設置も例えば両面テープといったより簡易的なものによって行うことができる。
【００４３】
以上、本発明の好適な実施形態について説明したが、本発明に係る身長測定装置はこれに限らず可能な限りこれらの組み合わせを含むことができる。
【図面の簡単な説明】
【００４４】
【図１】身長測定装置を示す正面図である。
【図２】目盛り部の下部を示す拡大正面図である。
【図３】本体部を示す裏面図である。
【図４】その他の実施形態に係る身長測定装置を示す正面図である。
【符号の説明】
【００４５】
１、１ａ・・・身長測定装置
１０、１０ａ・・・本体部
２０、２０ａ・・・目盛り部
３０、３０ａ・・・収容部
４０、４０ａ・・・位置決め部
【図１】
2008188328.tif 000003
【図２】
2008188328.tif 000004
【図３】
2008188328.tif 000005
【図４】
2008188328.tif 000006